(57)【要約】【課題】  送風ファンを有する電動機を空気調和装置に余裕をもって設置することができ、また、送風ファンを安定して回転できるため筐体の振動を抑制し、異常音の発生を防止することのできる電動機の取付構造を提供する。  また、上記の取付構造を有する電動機を備えた空気調和装置を提供する。【解決手段】  外周が鋼板フレーム１７，１８で覆われて出力軸１６に送風ファン２０が取付けられ、機器に設けた電動機支持部材８に取付けられる電動機１５を有し、この電動機１５に嵌合される胴部２２と胴部２２の一端に設けたフランジ部２３とからなる取付部材２１を有し、この取付部材２１の胴部２２を電動機１５の鋼板フレーム１７又は１８に嵌合して固定し、フランジ部２３を電動機支持部材１０に固定するようにした。【選択図】図３
2006197742.tif 000002
【特許請求の範囲】
【請求項１】
外周が鋼板フレームで覆われて出力軸に送風ファンが取付けられ、機器に設けた電動機支持部材に取付けられる電動機を有し、
該電動機に嵌合される胴部と該胴部の一端に設けたフランジ部とからなる取付部材を有し、該取付部材の胴部を前記電動機の前記鋼板フレームに嵌合して固定し、前記フランジ部を前記電動機支持部材に固定するようにしたことを特徴とする電動機の取付構造。
【請求項２】
前記取付部材の胴部を正面ほぼＣ字状又は円筒状に形成したことを特徴とする請求項１記載の電動機の取付構造。
【請求項３】
前記取付部材を、鋼板フレームを電動機に組付ける前に該鋼板フレームに嵌合して溶接等により固定したことを特徴とする請求項１又は２記載の電動機の取付構造。
【請求項４】
前記取付部材を、鋼板フレームを電動機に組付けたあとで該鋼板フレームに嵌合して溶接等により固定したことを特徴とする請求項１又は２記載の電動機の取付構造。
【請求項５】
室外機に請求項１−４のいずれかの取付構造を有する電動機を備えたことを特徴とする空気調和装置。
【請求項６】
室外機の筐体に隔壁を設けて該隔壁の一方の側に機械室を、他方の側に送風室を設け、前記機械室に圧縮機、該圧縮機からの冷媒回路を切換える切換弁、電子膨張弁等の冷媒回路等を収容し、前記送風室の背面側に熱交換器を設けると共に該熱交換器の前面側に電動機支持部材を設け、
該電動機支持部材に請求項１−４のいずれかの取付構造を有する電動機を取付けたことを特徴とする空気調和装置。
【発明の詳細な説明】
【技術分野】
【０００１】
本発明は、送風ファンを有する電動機のフレーム等への取付構造、及びこの電動機を備えた空気調和装置に関するものである。
【背景技術】
【０００２】
従来の空気調和装置においては、電動機ケースの端面に溶接等により固定した取付脚を、空気調和装置の室外機に設けた電動機支持板に固定し、出力軸の先端部に送風ファンを取付けて電動機を回転駆動し、送風ファンにより所望の風量を得るようにしていた。
【０００３】
また、長い脚の複数の取付アームが溶接により固定された固定バンドを、電動機のハウジングに嵌合して締付けて固定し、これらの取付アームにより電動機をルームエアコン、送風機等の支持構造物に取付けるようにしたものがある（例えば、特許文献１参照）。
【０００４】
【特許文献１】特開昭５４−５４２０８号公報（第６頁、第１−３図）
【発明の開示】
【発明が解決しようとする課題】
【０００５】
上述の従来技術において、ケースの端面に設けた取付脚を電動機支持板に取付けるようにした電動機においては、その出力軸の先端部に送風ファンを取付けた場合、電動機の支持点が電動機支持板と取付脚の部分になるため、電動機の自重と出力軸の先端部に取付けた送風ファンの重量とにより、電動機及びその出力軸に撓みが生じる。そのため、電動機を回転したときに送風ファンの安定した回転が得られず、電動機の振幅が大きくなって空気調和装置の室外機筐体に振動が伝わり、ヒビリ音やうなり音等の異常音が発生するという問題があった。
【０００６】
また、特許文献１の電動機は、取付アームが固定された固定バンドを電動機のハウジングに嵌合して固定し、取付アームによりルームエアコン等の支持構造物に電動機を取付けるようにしているが、空気調和装置の室外機の奥行きが狭いため、熱交換器と電動機との距離を十分とれないので電動機が熱交換器に当ることがあり、また、電動機の出力軸に取付けた送風ファンと室外機の筐体との距離も十分とれないため送風ファンが筐体に当ることがあるなど、この電動機を空気調和装置に使用することは構造的に困難であった。
【０００７】
本発明は、上記の課題を解決するためになされたもので、送風ファンを有する電動機を空気調和装置に余裕をもって設置することができ、また、送風ファンを安定して回転できるため筐体の振動を抑制し、異常音の発生を防止することのできる電動機の取付構造を提供することを目的としたものである。
また、本発明は、上記の取付構造を有する電動機を備えた空気調和装置を提供することを目的としたものである。
【課題を解決するための手段】
【０００８】
本発明に係る電動機の取付構造は、外周が鋼板フレームで覆われて出力軸に送風ファンが取付けられ、機器に設けた電動機支持部材に取付けられる電動機を有し、該電動機に嵌合される胴部と該胴部の一端に設けたフランジ部とからなる取付部材を有し、該取付部材の胴部を前記電動機の前記鋼板フレームに嵌合して固定し、前記フランジ部を前記電動機支持部材に固定するようにしたものである。
【０００９】
また、本発明に係る空気調和装置は、上記の取付構造を有する電動機を備えたものである。
【発明の効果】
【００１０】
本発明に係る電動機の取付構造によれば、送風ファンを有する電動機を空気調和装置に余裕をもって設置することができ、また、送風ファンを安定して回転できるため筐体の振動を抑制し、異常音の発生を防止することができる。
また、本発明に係る空気調和装置は、上記の取付構造を有する電動機を備えたので、上記とほぼ同様の効果を得ることができる。
【発明を実施するための最良の形態】
【００１１】
［実施の形態１］
図１は本発明の実施の形態１に係る取付構造を有する電動機を備えた空気調和装置の室外機の説明図である。なお、図には筐体の前面板及び上面板を取外した状態を示してある。
空気調和装置の室外機（以下、空気調和装置と記すことがある）の筐体１には、幅方向のほぼ中央部の上下方向に隔壁２が設けられており、隔壁の一方の側には機械室３が、他方の側には送風室８が設けられている。
【００１２】
そして、機械室３には、筐体１の底部に設置された圧縮機４、圧縮機４から冷媒配管を介して冷媒流路を切り替える切換弁５、電子膨張弁６等の冷媒回路、電気品箱７等が収容されている。
また、送風室８の背面側には、機械室３からの冷媒配管に接続された熱交換器９が設けられており、さらにこの熱交換９の前面側には、上下に設けた固定片１１が筐体１の底部と熱交換器９に固定された電動機支持部材１０が設けられている。
【００１３】
電動機支持部材１０には電動機１５が取付けられており、この電動機１５の出力軸の先端部には送風ファン２０が取付けられている。なお、図には２台の電動機１５を設けた場合を示してあるが、１台の場合もあり、３台以上の場合もある。
【００１４】
電動機１５は、図２に示すように、本体部の前面側（出力軸１６側をいい、以下同様とする）から底部に貫通穴を有する有底円筒状の上部鋼板フレーム１７が、後部側から有底円筒状の下部鋼板フレーム１８（以下の説明では、上部鋼板フレーム１７と下部鋼板フレーム１８を単に鋼板フレームと記すことがある）が嵌合され、接合部１９により一体に接合され、本体部が鋼板フレーム１７，１８によって覆われた鋼板電動機であるが、以下の説明では電動機と記す。
【００１５】
２１は電動機１５を電動機支持部材１０に取付けるための取付部材で、鋼板フレーム１７，１８の外径とほぼ等しい内径で、下部鋼板フレーム１８の前後方向の長さのほぼ２分の１の幅に形成され、下部が開口した正面ほぼＣ字状の胴部２２と、胴部２２の一方の端部の外周に設けたフランジ部２３とからなっている。
この取付部材２１は、胴部２２を下部鋼板フレーム１８に嵌合して接合部１９に当接させ、又は所望の位置に配置して溶接等により一体に固定される。
【００１６】
上記のようにして取付部材２１が取付けられた電動機１５は、図３に示すように、電動機１５の後端部を電動機支持部材１０の開口部（図示せず）に挿入し、取付部材２１のフランジ部２３を電動機支持部材１０の前面側に当接する。そして、フランジ部２３の前面側からボルト挿通穴２４に挿通したボルトをそれぞれ背面側のナット（共に図示せず）に螺入し、固定する。ついで、電動機１５の出力軸１６の先端部に送風ファン２０を取付ける。これにより、電動送風機としての電動機１５の空気調和装置への取り付けが完了する。
【００１７】
このようにして空気調和装置の電動機支持部材１０に取付けられた電動機１５は、図３に示すように、熱交換器９とはすき間Ａを隔てて対向し、送風ファン２０は筐体１（前面板１ａ）とすき間Ｂを隔てて対向するので、送風室８内に余裕をもって設置され、電動機１５や送風ファン２０がこれらに接触することはない。
【００１８】
また、電動機１５は、後端部より前側において取付部材２１により電動機支持部材１０に固定されているので、支持点が後端部より前側になるため、電動機１５及び出力軸１６の撓みを小さくすることができる。このため、送風ファン２０が安定して回転され、軸まわりの振動による筐体１の振動を抑制できると共に、異常音の発生を防止することができる。
【００１９】
［実施の形態２］
図４は本発明の実施の形態２に係る取付部材を備えた電動機の側面図である。なお、実施の形態１と同じ部分にはこれと同じ符号を付し、説明を省略する。
本実施の形態は、実施の形態１の取付部材２１と同じ取付部材２１の胴部２２を、電動機１５の上部鋼板フレーム１７に嵌合し、そのフランジ部２３を接合部１９に当接させ、又は所望の位置に配置して、溶接等により固定したものがある。
本実施の形態においても、実施の形態１の場合と同様に、電動機１５の後部側を電動機支持部材１０の開口部に挿入し、取付部材２１のフランジ部２３により電動機支持部材１０に固定される。
【００２０】
この場合、取付部材２１が電動機１５の前後方向の中央部より前側に取付けられているので、図５に示すように、電動機支持部材１０からの熱交換器９側への突出長が大きくなるが、それでも電動機１５の後端部と熱交換器９との間にはすき間Ａが形成され、送風ファン２０と筐体１（前面板１ａ）との間には大きなすき間Ｂが形成される。なお、取付部材２１の電動機１５への取付位置を調整することにより、熱交換器９と電動機１５、送風ファン２０と前面板１ａとのすき間Ａ，Ｂを適宜調整することができる。
【００２１】
本実施の形態によれば、取付部材２１が実施の形態１の場合よりさらに電動機１５の前側に取付けられているので、電動機１５及び出力軸１６の撓みがほとんどなく、このため送風ファン２０をより安定して回転させることができ、筐体１の振動がほとんどなく、また、異常音の発生を防止することができる。
また、電動機１５への取付部材２１の取付位置を適宜調整できるので、筐体の寸法や電動機１５の取付位置が異なる空気調和装置においても、同じ電動機１５で容易に対応することができる（この点については、実施の形態１の場合も同様である）。
【００２２】
［実施の形態３］
図６は本発明の実施の形態３に係る取付構造を備えた電動機の側面図である。なお、実施の形態１，２と同じ部分にはこれと同じ符号を付し、説明を省略する。
実施の形態１，２では、取付部材２１の胴部２２を正面ほぼＣ字状に形成した場合を示したが、本実施の形態は、取付部材２１を、胴部２２が電動機１５の鋼板フレーム１７，１８に嵌合しうる内径の円筒状に形成し、その一方の端部外周にフランジ部２３を設けたものである。
【００２３】
本実施の形態においても、実施の形態１，２の場合と同様に、取付部材２１の胴部２２を電動機１５の鋼板フレーム１７，１８に嵌合し、所望の位置に溶接等により固定すればよく、図７に一例を示すように、実施の形態１，２の場合と同様に、取付部材２１のフランジ部２２を介して電動機１５を電動機支持部材１０に取付けることができる。
本実施の形態によれば、実施の形態１，２の場合と同様の効果が得られるが、さらに、フランジ部２３を円形としたことにより、ボルト挿通穴２４を設ける位置の自由度を拡大できるので、電動機支持部材１０の構造が異なる場合でも、ボルト挿通穴２４の位置を変えてこれに対応することができる。
【００２４】
上記の説明では、電動機１５に組付けた鋼板フレーム１７，１８に取付部材２１の胴部２２を嵌合して固定する場合を示したが、鋼板フレーム１７，１８を電動機１５に組付ける前に、あらかじめ鋼板フレーム１７，１８の所望の位置に取付部材２１を固定しておいてもよい。
また、上記の説明では、図１の空気調和装置に本発明に係る取付構造を備えた電動機１５を取付けた場合を示したが、他の構造の空気調和装置にもこのような電動機１５を取付けることができる。
【産業上の利用可能性】
【００２５】
上記の説明では、本発明に係る取付構造を備えた電動機１５を空気調和装置に設けた場合を示したが、空気調和装置以外の電気機器に取付けられる電動機にも本発明を実施することができる。
【図面の簡単な説明】
【００２６】
【図１】本発明の実施の形態１に係る取付構造を有する電動機を備えた空気調和装置の室外機の説明図である。
【図２】図１の電動機の正面図及び右側面図である。
【図３】図２の電動機を空気調和装置に取付けた状態を示す説明図である。
【図４】本発明の実施の形態２に係る電動機の正面図である。
【図５】図４の電動機を調和装置に取付けた状態を示す説明図である。
【図６】本発明の実施の形態３に係る電動機の正面図及び右側面図である。
【図７】図６の電動機を空気調和装置に取付けた状態を示す説明図である。
【符号の説明】
【００２７】
１  室外機の外筐、１ａ  前面板、２  隔壁、３  機械室、４  圧縮機、５  切換弁、８  送風室、９  熱交換器、１０  電動機支持部材、１５  電動機、１６  出力軸、１７  上部鋼板フレーム、１８  下部鋼板フレーム、２０  送付ファン、２１  取付部材、２２  胴部、２３  フランジ部。
【図１】
2006197742.tif 000003
【図２】
2006197742.tif 000004
【図３】
2006197742.tif 000005
【図４】
2006197742.tif 000006
【図５】
2006197742.tif 000007
【図６】
2006197742.tif 000008
【図７】
2006197742.tif 000009